(57)【要約】      （修正有）【課題】接触点を減らし、製造工程をシンプルにし、製造コストを低下させ、電気特性を強化することができるネットワークコネクターを提供する。【解決手段】絶縁台体１片側には複数の出力端子１１１を備える挿入接続端１１を設置し、絶縁台体１内には出力端子１１１と電気的に連接する出力回路板１２を設置し、絶縁台体１の反対側には複数の入力端子１１２を設置し、絶縁台体１内には入力端子１１２と電気的に連接する入力回路板１３を設置し、出力回路板１２と入力回路板１３の表面接点１３１上には、フィルターモジュール２のコイル２１をそれぞれ表面粘着し、こうしてインターネットコネクター内部の接点を効果的に減らし、一回の表面粘着製造工程だけで、フィルターモジュール２と、出力回路板１２、入力回路板１３表面接点１３１を連接させられ、製造コストを低下させ、電気特性を強化し、製造工程をシンプルにすることができる。【選択図】図４
0003164183.tif 000002
【実用新案登録請求の範囲】
【請求項１】
ネットワークコネクターは、絶縁台体、フィルターモジュールからなり、
該絶縁台体片側の挿入接続端に、複数の出力端子を設置し、
該絶縁台体の反対側には、複数の入力端子を設置し、
該絶縁台体内には、該出力端子と電気的に連接する出力回路板、及び該入力端子と電気的に連接する入力回路板をそれぞれ設置し、
該絶縁台体内には、該フィルターモジュール、該出力回路板、該入力回路板を収容設置し、キャパシターと隔絶状態を呈する区画台を含み、
該フィルターモジュールは、該出力回路板、該入力回路板表面接点と溶接するコイルを含むことを特徴とするネットワークコネクター。
【請求項２】
前記絶縁台体は、底台を含み、
該絶縁台体底部には、定位槽を陥没状に設置し、しかも該定位槽両側には、該底台両側と対応して設置する嵌合孔と嵌合する複数の係合点を設置し、
該入力回路板背面には、該区画台及び該底台に覆われ、該入力端子と連接する接点を設置したことを特徴とする請求項１に記載のネットワークコネクター。
【請求項３】
前記絶縁台体内の区画台内に通す複数の出力端子の溶接端は、該出力回路板上に設置する溶接孔中に対応して連接し、
該区画台後端には、該入力回路板を挿入して定位するレール槽を陥没状に設置し、
該入力回路板前端には、該区画台上に開設する断面孔外へと通り抜ける凸板を設置したことを特徴とする請求項１に記載のネットワークコネクター。
【請求項４】
前記フィルターモジュールのキャパシター一端には、該区画台と該出力回路板に設置する貫通孔中を通過して連接するピンを設置し、
該キャパシターの反対端には、該入力回路板前端に設置する凸板上に連接するピンを設置したことを特徴とする請求項１に記載のネットワークコネクター。
【考案の詳細な説明】
【技術分野】
【０００１】
本考案はネットワークコネクターに関し、特にネットワークコネクター内のフィルターモジュールを、出力端子を備える出力回路板、及び複数の入力端子を備える入力回路板の表面接点上に表面粘着溶接し、接触点を減らし、製造工程をシンプルにし、製造コストを低下させ、電気特性を強化することができるネットワークコネクターに関する。
【背景技術】
【０００２】
コンピューターテクノロジーは、今正に破竹の勢いで成長しており、それに従い、コンピューターの伝送速度を引き上げる必要がある。
インターネットの普及に連れて、使用者はインターネットを通じてデータを伝送し、テレビ会議を行い、インターネットで各種チケットを予約し、オンラインでゲームに興じ、情報を検索し、各種手続きを行うようになっており、インターネットは既に現代人にとって欠くべからざる道具となっている。
そのため、コンピューター本体と外部ネットワークのコミュニケーションルートとしてインターネットコネクターが誕生した。
一般のインターネットコネクターには、RJ-45コネクターなどがあり、多くはデジタル通信に使用されている。
【０００３】
一方、インターネット接続は、その電磁効果が発生する信号干渉の問題を考慮しなければならない。
一般にインターネットコネクターに影響を及ぼすノイズ干渉の原因は、二つに大きく分けられる。
一つは、コネクター周囲からの電磁波干渉で、もう一つは、コネクター内部からの干渉である。
これにより、この種のインターネットコネクターは、他の電気設備に干渉する高周波電波を容易に発生し、しかもコネクター自体の信号も、外部伝送線中から発生するノイズに影響され易い。
このため、インターネットコネクター外側を覆う金属遮蔽殻体、及びコネクター内に設置するフィルターモジュールが開発された。
これにより、上記した欠点を解決し、インターネット信号を本体内に伝送してデータ処理を行うため、インターネットコネクターが受信する外部のネットワーク信号をろ過し、不要なノイズを除去し、実際に必要な信号を残すことができる。
【０００４】
さらに、一般に目にする外部ネットワークケーブル(Cable)は、通常は建物外に露出しているが、雷の被害が多い地区であれば、雷撃時の高圧(或いは感応高圧)は、建物外に露出しているケーブル(Cable)により、コンピューター本体或いはサーバ本体に直接伝導し、本体がショートして損壊し易い。
電子設備中の電子部品の一部は、雷撃、或いは強大な電磁波のサージに襲われると、全体的な機能が失われ易く、深刻な場合には永久的な損壊となる場合もある。
そのため、インターネットコネクター内に高圧キャパシターー及びサージ防止部品を設置し、サージが本体に侵入し、瞬間的な過大電流が流れショートしてしまうという問題を解決する必要がある。
【０００５】
従来品の立体分解図、及び側視断面図である図７、８に示すように、該従来のインターネットコネクターは、ベースAの左右両側に、複数の連接端子A１をそれぞれ通して設置する。
しかも、該ベースAは両側の連接端子A１の間に、複数のフィルターパーツBを収容可能な収容設置空間A０を形成する。
該複数のフィルターパーツB上のコイルB１は、該各連接端子A１の先端A１１にそれぞれ巻き付き、さらに回路板A２を、ベースAの収容設置空間A０上方に設置する。
これにより、該回路板A２上の各接点A２１と該複数の連接端子A１は対応して連接し、該回路板A２上には、フィルターパーツBのキャパシターB２定位する。
こうして、該キャパシターB２片側のピンB２１は、回路板A２の接点A２１上に連接し、反対側のピンB２１は、該絶縁台体A３後板３１外へと通過する。
同時に、該絶縁台体A３には、発光ダイオードA３２を通して設置し、しかも発光ダイオードA３２のピンA３２１は、後板A３１から外部へと通過する。
また、該殻体Cは、ベースAと絶縁台体A３に結合し、これにより該殻体Cと、後板A３１外へと通過したキャパシターB２ピンB２１は連接する。
しかも、該殻体C内には、所定のネットワークプラグを挿入することができる挿入接続空間C１を形成し、該回路板A２前端に電気的に連接する複数の連接端子A１は、該挿入接続空間C１内に位置し、所定のネットワークプラグと接触する。
これにより、プラグの信号は、インターネットコネクターに伝送され、ノイズのフィルター機能を達成する。
【０００６】
しかし、上記したインターネットコネクターは、組み立ての過程が非常に複雑で難しく、該各コイルB１を該連接端子A１の先端A１１に巻きつけて連接を完成する必要がある。
そのため、時間と労力を浪費し、製造コストを引き上げてしまうという問題がある。
同時に、該キャパシターB２は回路板A２の出力端接点A２１のピンB２１に連接し、片側の入力端子A４との間には、一切の隔絶構造が設計されていないため、インターネットコネクターは、外部から高電圧を受け取ると、該キャパシターB２ピン２１と入力端子A４とには、火花が散る現象が出現する。
また、該キャパシターB２は、該後板A３１外のピンB２１と該ベースA上に通して設置する発光ダイオードA３２ピンA３２１との間を通過するが、該絶縁台体A３と該後板A３１との組合せ後には間隙が生じるため、完全な遮蔽、隔絶作用を達成することはできず、火花が散る現象が発生する。
本考案は、従来のネットワークコネクターの製造工程に存在する困難、耐圧性が比較的低く、組合せが容易でなく、コストが高いという欠点に鑑みてなされたものである。
【先行技術文献】
【特許文献】
【０００７】
【特許文献１】特開２００２−１５２１７５号公報
【考案の概要】
【考案が解決しようとする課題】
【０００８】
本考案が解決しようとする第一の課題は、ネットワークコネクター内のフィルターモジュールは、出力回路板と入力回路板表面接点上に表面粘着するため、フィルターモジュールのコイル導線を端子上に巻きつけて連接する必要がなく、一回の溶接により組立てを完成させられるため、電気特性を強化し、製造工程をシンプルにし、製造コストを低下させることができるネットワークコネクターを提供することである。
本考案が解決しようとする第二の課題は、絶縁台体内には、底台と区画台の構造を備え、底台と区画台により、複数の入力端子の溶接端全体を覆い、隔絶することができ、電気的伝送の過程において、入力端子溶接端と他の構造(キャパシターなど)のピンとの間の火花が散る現象を防止することができ、しかもインターネットコネクターが瞬間的な高電圧を受け取っても、溶接端とピンを隔絶し、火花が散る現象を回避し、インターネットコネクター全体の耐圧性を向上させることができるネットワークコネクターを提供することである。
【課題を解決するための手段】
【０００９】
上記課題を解決するため、本考案は下記のネットワークコネクターを提供する。
ネットワークコネクターは、絶縁台体、フィルターモジュールからなり、
該絶縁台体片側には、複数の出力端子を備える挿入接続端を設置し、
該絶縁台体内には、出力端子と電気的に連接する出力回路板を設置し、該絶縁台体の反対側には複数の入力端子を設置し、
該絶縁台体内には、入力端子と電気的に連接する入力回路板を設置し、該出力回路板と該入力回路板の表面接点上には、フィルターモジュールのコイルをそれぞれ表面粘着し、
こうしてインターネットコネクター内部の接点を効果的に減らし、一回の表面粘着製造工程だけで、該フィルターモジュールと、該出力回路板、該入力回路板表面接点を連接させられ、製造コストを低下させ、電気特性を強化し、製造工程をシンプルにすることができる。
本考案は下記の特徴を有する。
（１）ネットワークコネクターは、絶縁台体、フィルターモジュールからなり、
該絶縁台体片側の挿入接続端に、複数の出力端子を設置し、
該絶縁台体の反対側には、複数の入力端子を設置し、
該絶縁台体内には、該出力端子と電気的に連接する出力回路板、及び該入力端子と電気的に連接する入力回路板をそれぞれ設置し、
該絶縁台体内には、該フィルターモジュール、該出力回路板、該入力回路板を収容設置し、キャパシターと隔絶状態を呈する区画台を含み、
該フィルターモジュールは、該出力回路板、該入力回路板表面接点と溶接するコイルを含むことを特徴とするネットワークコネクター。
（２）前記絶縁台体は、底台を含み、
該絶縁台体底部には、定位槽を陥没状に設置し、しかも該定位槽両側には、該底台両側と対応して設置する嵌合孔と嵌合する複数の係合点を設置し、
該入力回路板背面には、該区画台及び該底台に覆われ、該入力端子と連接する接点を設置したことを特徴とする（１）に記載のネットワークコネクター。
（３）前記絶縁台体内の区画台内に通す複数の出力端子の溶接端は、該出力回路板上に設置する溶接孔中に対応して連接し、
該区画台後端には、該入力回路板を挿入して定位するレール槽を陥没状に設置し、
該入力回路板前端には、該区画台上に開設する断面孔外へと通り抜ける凸板を設置したことを特徴とする（１）に記載のネットワークコネクター。
（４）前記フィルターモジュールのキャパシター一端には、該区画台と該出力回路板に設置する貫通孔中を通過して連接するピンを設置し、
該キャパシターの反対端には、該入力回路板前端に設置する凸板上に連接するピンを設置したことを特徴とする（１）に記載のネットワークコネクター。
【考案の効果】
【００１０】
本考案のネットワークコネクターは、ネットワークコネクター内のフィルターモジュールを、出力端子を備える出力回路板、及び複数の入力端子を備える入力回路板の表面接点上に表面粘着溶接し、接触点を減らし、製造工程をシンプルにし、製造コストを低下させ、電気特性を強化することができる。
【図面の簡単な説明】
【００１１】
【図１】本考案の立体外観図である。
【図２】本考案の立体分解図である。
【図３】本考案の別の視角からの立体分解図である。
【図４】本考案の側視断面図である。
【図５】本考案の組成半製品の立体外観図である。
【図６】本考案の組成半製品の別の視角からの立体外観図である。
【図７】従来品の立体分解図である。
【図８】従来品の側視断面図である。
【考案を実施するための形態】
【００１２】
以下に図面を参照しながら本考案を実施するための最良の形態について詳細に説明する。
【実施例】
【００１３】
本考案の立体外観図、立体分解図、別の視角からの立体分解図、側視断面図である図１、２、３、４に示すように、本考案インターネットコネクターは、絶縁台体１片側の挿入接続端１１に、複数の出力端子１１１を設置する。
【００１４】
絶縁台体１の反対側には、複数の入力端子１１２を設置し、さらに絶縁台体１内には、出力端子１１１と電気的に連接する出力回路板１２、及び入力端子１１２と電気的に連接する入力回路板１３をそれぞれ設置する。
【００１５】
出力回路板１２、入力回路板１３表面接点１２１、１３１には、フィルターモジュール２のコイル２１をそれぞれ表面粘着する。
【００１６】
該絶縁台体１内には、発光ダイオード１４、キャパシター１５、区画台１６、底台１７をそれぞれ通して設置する。
【００１７】
該絶縁台体１底部には、定位槽１０を陥没状に設置し、前方には、外部RJ-45プラグを挿入して接続することができる挿入接続端１１を形成する。
【００１８】
該挿入接続端１１内は、複数の出力端子１１１により、プラグと連接し、定位槽１０内には、順番に区画台１６と底台１７を設置して定位する。
【００１９】
本考案のインターネットコネクターを組立てる時には、図２、５、６に示すように、先ず、該フィルターモジュール２のコイル２１を、両端の導線２１１を通して、表面粘着技術により、出力回路板１２、入力回路板１３表面接点１２１、１３１上に溶接する。
【００２０】
こうして溶接を完成後、該フィルターモジュール２及び両側の出力回路板１２、入力回路板１３により、組成半製品とし、該絶縁台体１の区画台１６内に入れる。
【００２１】
該区画台１６内には、複数の出力端子１１１の溶接端１１１１を通して設置し、これにより溶接端１１１１は位置を合わせ、該出力回路板１２上の溶接孔１２２中を通過し、出力端子１１１と出力回路板１２の組立てを完成し、さらに該溶接端１１１１を、該溶接孔１２２中に溶接する。
【００２２】
さらに、もう一つの入力回路板１３を、区画台１６後端に陥没状に設置するレール槽１６１中に挿入し定位する。
【００２３】
こうして、出力回路板１２及び入力回路板１３は、垂直状態を呈し、該入力回路板１３前端に突出状に設置する凸板１３２は、区画台１６上に開設する断面孔１６２外と通り抜ける。
【００２４】
その後、キャパシター１５を区画台１６上の嵌槽１６３中に入れ、これにより該キャパシター１５一端のピン１５１は、該区画台１６上に別に開設する穿孔１６４を通過し、該出力回路板１２上の貫通孔１２３中に定位される。
【００２５】
キャパシター１５の反対端のピン１５１は、該入力回路板１３の凸板１３２上の貫通孔１３３中に接続し、これにより該キャパシター１５両端のピン１５１と、該出力回路板１２、該入力回路板１３の貫通孔１２３、１３３とは溶接し、電気的接触を呈する。
【００２６】
次に、該複数の入力端子１１２片側の溶接端１１２１を、高温溶接の方式により、入力回路板１３背面の接点１３４と連接して結合する。
【００２７】
さらに、組成半製品の複数の出力端子１１１、入力端子１１２、区画台１６、フィルターモジュール２を、絶縁台体１後端の定位槽１０中に入れ、発光ダイオード１４を絶縁台体１に入れると、後端の底台１７を組合せ、該絶縁台体１定位槽１０外を包むことができる。
【００２８】
これにより、該底台１７両側の複数の係合点１７１と該絶縁台体１定位槽１０両側の対応する嵌合孔１０１とは嵌合する。
【００２９】
こうして、該底台１７は、組成半製品の複数の出力端子１１１、入力端子１１２、区画台１６、フィルターモジュール２を持ち上げる。
【００３０】
さらに、遮蔽殻体３を該絶縁台体１外部に組み立て、本考案インターネットコネクター全体の組立てを完成する。
【００３１】
該底台１７と該区画台１６を組み立てた後は、該複数の入力端子１１２の溶接端１１２１全体を包み、隔絶を形成する。
【００３２】
これにより、電気的伝送において、該入力端子１１２の溶接端１１２１と該キャパシター１５のピン１５１との間の火花が散る現象を防止することができる。
【００３３】
インターネットコネクターが瞬間的な高電圧を受け取っても、該溶接端１１２１とピン１５１を隔絶し、火花が散る現象を回避し、インターネットコネクター全体の耐圧性を向上させることができる。
【００３４】
また、本考案のインターネットコネクターの絶縁台体１内のフィルターモジュール２コイル２１は、両端の導線２１１を、複数の出力端子１１１、入力端子１１２上に巻きつけて設置し連接する必要がなく、表面粘着技術により、該コイル２１導線２１１を、該出力回路板１２及び該入力回路板１３表面接点１２１、１３１上に直接溶接することができる。
【００３５】
これにより、電気的伝送の過程において、電気特性を強化することができ、製造工程全体をシンプルにし、製造コストを低下させることができる。
【００３６】
上記したように本考案は、該絶縁台体１内のフィルターモジュール２コイル２１を、該出力回路板１２と該入力回路板１３表面接点１２１、１３１上に表面粘着させるため、該コイル２１導線２１１を端子上に巻きつけて設置する必要がなく、よってインターネットコネクター内部の接触点を減らし、信号減衰の問題を回避することができる。
【００３７】
同時に、該フィルターモジュール２の組み立て時には、一回の製造工程の表面粘着だけで、該コイル２１と該出力回路板１２、該入力回路板１３表面接点１２１、１３１を連接させられるため、製造コストを低下させ、電気特性を強化し、製造工程をシンプルにする効果を達成することができる。
【００３８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３９】
本考案は実用新案の要件である新規性を備え、従来の同類製品に比べ十分な進歩を有し、実用性が高く、社会のニーズに合致しており、産業上の利用価値は非常に大きい。
【符号の説明】
【００４０】
１  絶縁台体
１０  定位槽
１０１  嵌合孔
１１  挿入接続端
１１１  出力端子
１１１１  溶接端
１１２  入力端子
１１２１  溶接端
１２  出力回路板
１２１  表面接点
１２２  溶接孔
１２３  貫通孔
１３  入力回路板
１３１  表面接点
１３２  凸板
１３３  貫通孔
１３４  背面接点
１４  発光ダイオード
１５  キャパシター
１５１  ピン
１６  区画台
１６１  レール槽
１６２  断面孔
１６３  嵌槽
１６４  穿孔
１７  底台
１７１  係合点
２  フィルターモジュール
２１  コイル
２１１  導線
３  遮蔽殻体
A  ベース
A０  収容設置空間
A１  連接端
A１１  先端
A２  回路板
A２１  接点
A３  絶縁台体
A３１  後板
A３２  発光ダイオード
A３２１  ピン
A４  入力端子
B  フィルターパーツ
B１  コイル
B２  キャパシター
B２１  ピン
C  殻体
C１  挿入接続空間
D  入力端子
【図１】
0003164183.tif 000003
【図２】
0003164183.tif 000004
【図３】
0003164183.tif 000005
【図４】
0003164183.tif 000006
【図５】
0003164183.tif 000007
【図６】
0003164183.tif 000008
【図７】
0003164183.tif 000009
【図８】
0003164183.tif 000010